【手続補正書】
【提出日】平成26年5月21日(2014.5.21)
【手続補正１】
【補正対象書類名】特許請求の範囲
【補正対象項目名】全文
【補正方法】変更
【補正の内容】
【特許請求の範囲】
【請求項１】
素子基板と、
前記素子基板に対向するように配置される対向基板と、
を含み、
前記素子基板は、
基板と、
複数の画素電極と、
前記複数の画素電極と、前記基板の端との間に配置される複数のダミー画素電極と、
第１のデータ線と前記複数の画素電極のうちの１つとの間に配置される第１のシールド電極と、
第２のデータ線と前記複数のダミー電極のうちの１つとの間に配置される第２のシールド電極と、
を含み、
前記複数のダミー電極のうちの１つと前記複数のダミー電極のうちの他の１つとは、前記第２のシールド電極を介して電気的に接続されていることを特徴とする電気光学装置。
【請求項２】
前記複数の画素電極に電位を供給するための駆動回路をさらに含み、
前記駆動回路は、前記複数の画素電極と前記基板の端との間に配置されることを特徴とする請求項１に記載の電気光学装置。
【請求項３】
前記第１のシールド電極は第１の方向に沿って延びるように配置され、
前記第２のシールド電極は第２の方向に沿って延びるように配置されることを特徴とする請求項１または２に記載の電気光学装置。
【請求項４】
前記素子基板は、
複数の走査線と
前記複数の走査線と交差する複数のデータ線と、
をさらに含み、
前記第１のシールド電極は、前記複数のデータ線のうちの１つを覆うように配置され、
前記第１のシールド電極には所定の電圧が印加されることを特徴とする請求項１乃至３のいずれかに記載の電気光学装置。
【請求項５】
前記対向基板を覆うように配置されるコモン電極をさらに含み、
前記コモン電極には、所定のコモン電圧が印加され、
前記所定の電圧は、前記コモン電圧である
ことを特徴とする請求項４に記載の電気光学装置。
【請求項６】
前記駆動回路は、
前記複数の走査線の両端の側から、前記複数の走査線の各々をそれぞれ駆動する２つの走査線駆動回路と、
前記複数のデータ線の一端の側から、前記複数のデータ線の各々を駆動するデータ線駆動回路と、
を含むことを特徴とする請求項２に記載の電気光学装置。
【請求項７】
前記複数のダミー画素電極のうち、前記データ線駆動回路と前記複数の画素電極との間に位置する第１のダミー画素電極は、前記第１のシールド電極を介して互いが接続されていることを特徴とする請求項６に記載の電気光学装置。
【請求項８】
前記複数のダミー画素電極のうち、前記走査線駆動回路と前記複数の画素電極との間に位置する第２のダミー画素電極は、前記第２のシールド電極を介して互いが接続されていることを特徴とする請求項６に記載の電気光学装置。
【請求項９】
前記ダミー画素電極には、前記コモン電圧よりも所定値だけ高位の電圧と、前記コモン電圧よりも前記所定値だけ低位の電圧とが所定の周期で交互に印加されることを特徴とする請求項５に記載の電気光学装置。
【請求項１０】
前記複数の画素電極のうちの１つと前記複数の画素電極のうちの他の１つとの間、および前記複数のダミー画素電極のうちの１つと前記複数のダミー画素電極のうちの他の１つとの間に、絶縁材が配置されたことを特徴とする請求項１乃至９のいずれかに記載の電気光学装置。
【請求項１１】
前記ダミー画素電極を囲む位置に配置され、前記画素電極と同じ層にあり、前記ダミー画素電極とは非接続の導電パターンをさらに含むことを特徴とする請求項１乃至１０のいずれかに記載の電気光学装置。
【請求項１２】
請求項１乃至１１のいずれかに記載の電気光学装置を有することを特徴とする電子機器。
【請求項１３】
基板と、
複数の画素電極と、
前記複数の画素電極と、前記基板の端との間に配置される複数のダミー画素電極と、
第１のデータ線と前記複数の画素電極のうちの１つとの間に配置される第１のシールド電極と、
第２のデータ線と前記複数のダミー電極のうちの１つとの間に配置される第２のシールド電極と、
を含み、
前記複数のダミー電極のうちの１つと前記複数のダミー電極のうちの他の１つとは、前記第２のシールド電極を介して電気的に接続されていることを特徴とする電気光学装置用基板。
【請求項１４】
前記複数の画素電極に電位を供給するための駆動回路をさらに含み、
前記駆動回路は、前記複数の画素電極と前記基板の端との間に配置されることを特徴とする請求項１３に記載の電気光学装置。
【請求項１５】
前記第１のシールド電極は第１の方向に沿って延びるように配置され、
前記第２のシールド電極は第２の方向に沿って延びるように配置されることを特徴とする請求項１３または１４に記載の電気光学装置。
【請求項１６】
複数の走査線と
前記複数の走査線と交差する複数のデータ線と、
をさらに含み、
前記第１のシールド電極は、前記複数のデータ線のうちの１つを覆うように配置され、
前記シールド電極には所定の電圧が印加されることを特徴とする請求項１乃至３のいずれかに記載の電気光学装置。
【手続補正２】
【補正対象書類名】明細書
【補正対象項目名】発明の名称
【補正方法】変更
【補正の内容】
【発明の名称】電気光学装置、電子機器、及び電気光学装置用基板
【手続補正３】
【補正対象書類名】明細書
【補正対象項目名】０００５
【補正方法】変更
【補正の内容】
【０００５】
本発明の一態様の電気光学装置は、素子基板と、前記素子基板に対向するように配置される対向基板と、を含み、前記素子基板は、基板と、複数の画素電極と、前記複数の画素電極と、前記基板の端との間に配置される複数のダミー画素電極と、第１のデータ線と前記複数の画素電極のうちの１つとの間に配置される第１のシールド電極と、第２のデータ線と前記複数のダミー電極のうちの１つとの間に配置される第２のシールド電極と、を含み、前記複数のダミー電極のうちの１つと前記複数のダミー電極のうちの他の１つとは、前記第２のシールド電極を介して電気的に接続されていることを特徴とする。
本発明の一実施形態に係る電気光学装置にあっては、素子基板と、前記素子基板と対向配置され、前記素子基板との対向側にコモン電極を有する対向基板と、を具備し、前記素子基板は、前記対向基板との対向側に形成され、画素毎に所定のピッチで配列する複数の画素電極と、平面視したときに前記複数の画素電極の外側に位置し、前記画素を駆動する駆動回路と、平面視したときに前記駆動回路と前記複数の画素電極との間で、前記複数の画素電極を囲むように設けられ、前記複数の画素電極と同一層からなり、前記複数の画素電極と実質的に等しいサイズおよびピッチで島状に配列する複数のダミー画素電極と、前記複数の画素電極と異なる層に配設され、前記複数のダミー画素電極のうち、少なくとも一の方向に隣り合うダミー画素電極同士を電気的に接続する配線と、を含むことを特徴とする。この構成によれば、画素電極とダミー画素電極とは実質的にサイズおよびピッチが等しいので、平坦度の差を従来技術と比較して小さくすることが可能となる。さらに配線を介してダミー画素電極に画素電極とは独立した電圧を共通に印加することも可能になる。
【手続補正４】
【補正対象書類名】明細書
【補正対象項目名】００１１
【補正方法】変更
【補正の内容】
【００１１】
なお、本発明は、電気光学装置のほか、当該電気光学装置を含む電子機器としても概念することが可能である。このような電子機器としては、電気光学装置による光変調画像を拡大投射するプロジェクターが挙げられる。
本発明の一態様の電気光学装置用基板は、基板と、複数の画素電極と、前記複数の画素電極と、前記基板の端との間に配置される複数のダミー画素電極と、第１のデータ線と前記複数の画素電極のうちの１つとの間に配置される第１のシールド電極と、第２のデータ線と前記複数のダミー電極のうちの１つとの間に配置される第２のシールド電極と、を含み、前記複数のダミー電極のうちの１つと前記複数のダミー電極のうちの他の１つとは、前記第２のシールド電極を介して電気的に接続されていることを特徴とする。